(57)【要約】【課題】エスカレータの開口位置照明装置において、エスカレータの踏段を取り外して開口を設けて作業を行う場合における作業時の安全性を向上させることである。【解決手段】開口位置照明装置４０は、複数の踏段３０を循環するように駆動する駆動装置の停止時に、踏段３０の取り外しによる開口Ｄの有無を検出する開口検出部４１と、複数の踏段３０のうち、複数の上側の踏段３０の上方に配置されて点灯または点滅が可能な複数の警告部であるＬＥＤランプ４３と、駆動装置が停止している場合において開口Ｄがあることが検出された場合に、複数のＬＥＤランプ４３のうち、開口Ｄに最も近いＬＥＤランプ４３を点灯または点滅させる警告制御部５２とを含む。【選択図】図２
2016185834.tif 000002
【特許請求の範囲】
【請求項１】
無端状に連結された複数の踏段と、
前記複数の踏段を循環するように駆動する駆動装置とを備えるエスカレータの開口位置照明装置であって、
前記駆動装置の停止時に、前記踏段の取り外しによる開口の有無を検出する開口検出部と、
前記複数の踏段のうち、利用者が乗降可能な複数の上側の踏段の上方に配置されて点灯または点滅が可能な複数の警告部と、
前記駆動装置が停止している場合において前記開口があることが検出された場合に、前記複数の警告部のうち、前記開口に最も近い警告部を点灯または点滅させる警告制御部とを備える、エスカレータの開口位置照明装置。
【請求項２】
請求項１に記載のエスカレータの開口位置照明装置において、
前記開口検出部は、前記複数の上側の踏段の側方に配置されるスカートガードにおいて前記複数の上側の踏段に対向可能な複数位置に取り付けられたマイクロスイッチと、前記マイクロスイッチの押圧状態を表す信号に基づいて前記開口の有無を判定する開口判定部とを含み、
前記開口判定部は、連続して所定数以上の前記マイクロスイッチの押圧が解除されている場合に前記開口があると判定する、エスカレータの開口位置照明装置。
【請求項３】
請求項１に記載のエスカレータの開口位置照明装置において、
前記開口検出部は、前記複数の上側の踏段の複数位置において、上側から照射したビームの反射の検出により前記開口の有無を検出する、エスカレータの開口位置照明装置。
【請求項４】
請求項１から請求項３のいずれか１に記載のエスカレータの開口位置照明装置において、
前記複数の警告部は、前記エスカレータの進行方向に沿う配置線上に並んで配置され、
前記制御装置は、前記駆動装置が停止している場合において、前記開口があることが検出された場合に、前記複数の警告部のうち、前記開口に最も近い前記警告部を本警告部として設定し、前記配置線上に沿って前記本警告部に対し上側に隣り合う少なくとも１つの前記警告部を補助警告部として設定し、前記本警告部と前記補助警告部とを点灯または点滅させる、エスカレータの開口位置照明装置。
【請求項５】
請求項１から請求項３のいずれか１に記載のエスカレータの開口位置照明装置において、
前記複数の警告部は、前記エスカレータの進行方向に沿う配置線上に並んで配置される複数の警告灯組であって、前記各警告灯組は、点灯色が異なる本警告灯と補助警告灯とを有する複数の警告灯組を含み、
前記制御装置は、前記駆動装置が停止している場合において、前記開口があることが検出された場合に、前記複数の警告灯組のうち、前記開口に最も近い前記警告灯組を本警告灯組として設定し、前記配置線上に沿って前記本警告灯組に対し上側に配置される少なくとも１つの警告灯組を補助警告灯組として設定し、前記本警告灯組の前記本警告灯と前記補助警告灯組の前記補助警告灯とを、異なる点灯色で点灯または点滅させる、エスカレータの開口位置照明装置。
【請求項６】
請求項１から請求項５のいずれか１に記載のエスカレータの開口位置照明装置において、
前記警告部は、前記複数の踏段の側方に配置されるスカートガードに取り付けられたＬＥＤランプを含む、エスカレータの開口位置照明装置。
【請求項７】
請求項１から請求項５のいずれか１に記載のエスカレータの開口位置照明装置において、
前記警告部は、前記複数の踏段の側方に配置されるスカートガードに取り付けられ、蛍光灯を含むスカートガード照明部である、エスカレータの開口位置照明装置。
【発明の詳細な説明】
【技術分野】
【０００１】
本発明は、エスカレータの開口位置照明装置に関する。
【背景技術】
【０００２】
従来から、エスカレータの保守点検または踏段の組み込みにおける作業時において、作業者が１つまたは複数の踏段を取り外して作業用の開口を設けて、この開口を通じて内部の装置の点検または修理を行う場合がある。
【０００３】
特許文献１には、エスカレータの踏段を踏段軸に取り付ける際に用いる取付金具の取り付け忘れを判定する検査装置が記載されている。この検査装置では、取付金具の表面に高反射率の塗料または鏡面加工部である高反射率部を設ける。そして、エスカレータの走行時に高反射率部が通過する部分にビームを照射し、高反射率部で反射されたビームを検出部で受信して、演算処理装置が、検出部の検出信号から取付金具の取り付け忘れを判定する。
【０００４】
特許文献２には、作業者が保守点検を行う際にエスカレータの一部の踏段を取り外して作業用開口を設け、光センサによって、移動してきた作業用開口を検出する保守作業位置設定方法が記載されている。光センサは、作業用開口を検出したことを表す検出信号を運転制御手段に送信する。運転制御手段は、その検出信号に基づいてエスカレータの運転を停止させ、作用用開口を所定の作業位置に停止させる。
【先行技術文献】
【特許文献】
【０００５】
【特許文献１】特開平８−９１７５５号公報
【特許文献２】実開２００１−３０２１６８号公報
【発明の概要】
【発明が解決しようとする課題】
【０００６】
保守点検などの作業時に作業用の開口を設けた後、作業者が作業中または作業終了後に開口から離れた位置から開口に向かって踏段上を移動する場合において、開口の位置を認識しにくく、作業者が誤って開口に足を入れてしまうおそれがある。特に開口位置の上側の踏段から開口位置に向かって踏段上を移動する場合に、作業者の視線が開口直前の踏段に遮られて開口を発見しにくい。
【０００７】
本発明の目的は、エスカレータの踏段を取り外して開口を設けて作業を行う場合において、作業時の安全性を向上させることである。
【課題を解決するための手段】
【０００８】
本発明に係るエスカレータの開口位置照明装置は、無端状に連結された複数の踏段と、前記複数の踏段を循環するように駆動する駆動装置とを備えるエスカレータの開口位置照明装置であって、前記駆動装置の停止時に、前記踏段の取り外しによる開口の有無を検出する開口検出部と、前記複数の踏段のうち、利用者が乗降可能な複数の上側の踏段の上方に配置されて点灯または点滅が可能な複数の警告部と、前記駆動装置が停止している場合において前記開口があることが検出された場合に、前記複数の警告部のうち、前記開口に最も近い警告部を点灯または点滅させる警告制御部とを備える。
【発明の効果】
【０００９】
本発明に係るエスカレータの開口位置照明装置によれば、エスカレータの踏段を取り外して開口を設けて作業を行う場合において、開口の位置を作業者に認識しやすくして作業時の安全性を向上させることができる。
【図面の簡単な説明】
【００１０】
【図１】本発明の実施形態の開口位置照明装置を適用するエスカレータの１例を示す概略断面図である。
【図２】実施形態の開口位置照明装置の概略構成を示す図である。
【図３】エスカレータの１つの踏段を示す斜視図である。
【図４】実施形態において、マイクロスイッチが踏段により押される状態を示している図３のＡ−Ａ断面対応図である。
【図５】複数のマイクロスイッチ及び踏段の位置関係の１例を示している模式図である。
【図６】実施形態の別例の開口位置照明装置の概略構成を示す図である。
【図７】実施形態の別例の開口位置照明装置の概略構成を示す図である。
【図８】実施形態の別例の開口位置照明装置の概略構成を示す図である。
【図９】実施形態の別例の開口位置照明装置の概略構成を示す図である。
【発明を実施するための形態】
【００１１】
以下において、図面を用いて本発明に係る実施の形態につき詳細に説明する。以下で説明する形状、個数などは説明のための例示であって、開口位置照明装置を含むエスカレータの仕様により変更が可能である。以下では同様の構成には同一の符号を付して説明する。
【００１２】
図１は、本実施形態の開口位置照明装置４０（図２）を適用するエスカレータ１０の一例を示す概略断面図である。エスカレータ１０は、トラス１２と、移送手段２０と、複数の踏段３０と、開口位置照明装置４０（図２）とを備える。トラス１２は、他の部材を支持する構造部分であり、エスカレータ１０の基礎部分を構成する。移送手段２０はトラス１２の内部に設けられ、複数の踏段３０は移送手段２０により移動される。
【００１３】
移送手段２０は、踏段３０を移動させるための駆動機構２１と、モータで構成され駆動機構を駆動するエスカレータ駆動装置２５とを含む。駆動機構２１は、無端状連結部材であるチェーン２２と、２つのスプロケット２３，２４とを有し、チェーン２２は２つのスプロケット２３，２４に掛け渡される。
【００１４】
各踏段３０には後述の図３に示すステップ軸３１が左右方向（図３の左右方向、図１の表裏方向）に配置される。複数の踏段３０は、ステップ軸３１は、チェーン２２に係合されており、このチェーン２２を介して無端状に連結される。各ステップ軸３１の左右方向両端には第１案内ローラ３２が回転可能に取り付けられている。第１案内ローラ３２は、トラス１２において、複数の踏段３０の左右両側で上下に離れて支持される第１レール１３ａ、１３ｂに沿って移動する。図１ではエスカレータ１０は上り用であり、上側の第１レール１３ａ側で踏段３０は矢印α方向に上昇し、下側の第１レール１３ｂ側で踏段３０は矢印β方向に下降する。エスカレータ１０は下降用であってもよい。なお、本明細書において、「左右方向」は、エスカレータ１０を下側の乗降口１１ａから上側の乗降口１１ｂに向かって見た場合の左右方向をいう。
【００１５】
エスカレータ駆動装置２５はモータで構成され、そのモータの駆動によって上側のスプロケット２３を駆動して、ここに掛け渡されているチェーン２２を循環移動させ、このチェーン２２に連結されている踏段３０を循環移動させる。モータの駆動は、後述の図２に示すエスカレータ制御装置２６で制御される。エスカレータ制御装置２６は、図示しない運転スイッチがオン操作されたことに基づいてエスカレータ駆動装置２５のモータを駆動させ、オフ操作されたことに基づいてこのモータを停止させる。
【００１６】
チェーン２２で連結された複数の踏段３０のうち、上側に位置する複数の踏段３０において、乗降口１１ａ、１１ｂの間に位置する踏段３０には乗客または作業者などの利用者が乗ることができる。これによって、踏段３０には利用者が乗降可能である。以下では、乗降口１１ａ、１１ｂの間に位置する複数の上側の踏段３０を、上側踏段３０という。
【００１７】
図２は、開口位置照明装置４０の概略構成を示している。複数の上側踏段３０の左右方向（図２の表裏方向）両側には２つの欄干１４が配置される。図２では１つの欄干１４のみを示している。欄干１４は、側板部１５と、側板部１５の周囲に循環する移動手すり１６と、側板部１５の下側において、複数の上側踏段３０と左右方向に対向する位置に配置されるスカートガード１７とを有する。
【００１８】
開口位置照明装置４０は、複数のマイクロスイッチ４２と、複数の警告部であるＬＥＤランプ４３と、開口照明制御装置５０とを含んでいる。複数のマイクロスイッチ４２は、開口照明制御装置５０が有する後述の開口判定部５１とともに、開口検出部４１を構成する。
【００１９】
複数のマイクロスイッチ４２は、複数の上側踏段３０の側方である左右方向一方側に対向して配置される一方側のスカートガード１７の複数位置に取り付けられる。具体的には、複数のマイクロスイッチ４２は、一方側のスカートガード１７において、複数の上側踏段３０に対向可能な複数位置に取り付けられる。また、複数のマイクロスイッチ４２は、図２の矢印αで示す踏段３０の進行方向に沿って配置される。各マイクロスイッチ４２の押圧部４２ｂ（図４参照）の押圧状態を表す信号は、開口照明制御装置５０に送信される。図２において、破線Ｌ１，Ｌ２，Ｌ３は信号の送受信のための信号線を示している。
【００２０】
図３は、エスカレータ１０の１つの踏段３０を示す斜視図である。図４は、マイクロスイッチ４２が上側踏段３０により押される状態を示している図３のＡ−Ａ断面対応図である。踏段３０は、利用者が乗降可能な略矩形状の踏板３３と、踏板３３の進行方向（図３の左右方向）一方側（図３の右側）の端部に略直角に結合されたライザー３４とを有する。踏板３３は、金属製の踏板本体３３ａと、踏板本体３３ａの左右両端部、及びライザー３４とは反対側の端部に固定された複数の樹脂製のデマケーションクリート３３ｂ、３３ｃとを有する。図３ではデマケーションクリート３３ｂ、３３ｃを斜線部で示している。図３において、踏段３０のライザー３４側端部における左右両端部には第２案内ローラ３６が回転可能に取り付けられている。各第２案内ローラ３６は、トラス１２（図１）において左右両側で上下に離れて支持される図示しない第２レールに沿って移動する。
【００２１】
図４に示すように、踏板本体３３ａ及びデマケーションクリート３３ｂの上面には、櫛歯３３ｄ、３３ｅが形成される。ライザー３４（図３）の表面にも詳しい形状の図示を省略する櫛歯が形成される。
【００２２】
踏板本体３３ａの左右方向一端部（図３、図４の左端部）には、一方側のスカートガード１７と対向して平板状の側板３５が、図示しないネジなどで固定されている。側板３５は、上下方向に沿って配置される。側板３５は、一方側のスカートガード１７に隙間Ｇを介して左右方向に対向する。
【００２３】
各マイクロスイッチ４２は、一方側のスカートガード１７に固定されたケース４２ａと、ケース４２ａに対し図示しない付勢部材によって矢印Ｐ方向に突出するように支持される押圧部４２ｂとを有する。側板３５がマイクロスイッチ４２と対向する位置に配置されると、押圧部４２ｂは側板３５に押圧されて、矢印Ｐ方向とは逆方向に変位する。
【００２４】
図２に戻って、複数のＬＥＤランプ４３は、一方側のスカートガード１７において、複数の上側踏段３０の上方に取り付けられて配置される。また、複数のＬＥＤランプ４３は、一方側のスカートガード１７において、エスカレータ１０の進行方向（図２の矢印α方向）に沿う一点鎖線で示す配置線１８上に並んで配置される。複数のＬＥＤランプ４３は、複数の上側踏段３０が停止可能な複数位置のそれぞれの上方に２つずつ配置線１８に沿って並んで配置され点灯または点滅が可能である。各ＬＥＤランプ４３の点灯または点滅の状態は、後述の開口照明制御装置５０によって制御される。
【００２５】
図５は、複数のマイクロスイッチ４２及び上側踏段３０の位置関係の１例を示している模式図である。図５では、エスカレータ１０の進行方向を模式的に、左右方向に直線上に伸ばして示している。そして、図５は、上側踏段３０側から一方側のスカートガード１７に向かって見た投影図として示している。また、上側踏段３０は模式的に四角形で示している。マイクロスイッチ４２は進行方向に等間隔に離れて配置される。
【００２６】
そして、複数のマイクロスイッチ４２と複数の上側踏段３０とが図５に示す位置関係で配置された状態でエスカレータ１０の運転が停止され、かつ、二点鎖線位置の踏段３０が取り外された状態を考える。この場合、マイクロスイッチ４２と踏段３０とが重畳する部分ではマイクロスイッチ４２の押圧部４２ｂ（図４）が踏段３０の側板３５（図４）で押されて押圧されたことを表す押圧信号が開口照明制御装置５０（図２）に送信される。
【００２７】
一方、踏段３０と重畳しないマイクロスイッチ４２では、マイクロスイッチ４２が押圧されず、その結果、押圧信号は開口照明制御装置５０に送信されない。図５ではマイクロスイッチ４２のうち、踏段３０で押圧されないマイクロスイッチ４２を白丸で示し、踏段３０で押圧されるマイクロスイッチ４２を黒丸で示している。また、図５の右端で２つの踏段３０が連続している部分（矢印Ｑで示す範囲部分）は、踏段３０が上側の乗降口１１ｂ付近に配置され進行方向が直線から曲線に変化する部分を示している。一方、図５において、矢印Ｒで示す範囲部分では踏段３０の進行方向が直線状になっている。このような図５に示す例では、踏段３０が取り外されていない状態で連続して２つ以上のマイクロスイッチ４２の押圧が解除されることはない。一方、踏段３０が取り外されて開口が設けられる場合には、連続して２つ以上のマイクロスイッチ４２の押圧が解除される。このことから、複数のマイクロスイッチ４２の押圧状態に基づいて、踏段３０が取り外されて開口Ｄがあることが分かる。
【００２８】
本実施形態は、この考えに基づいて開口Ｄの有無を検出する。具体的には、図２に示す開口照明制御装置５０は、開口判定部５１と、警告制御部５２とを有する。開口照明制御装置５０には、エスカレータ制御装置２６からエスカレータ駆動装置２５（図１）の運転状態を表す信号が入力される。
【００２９】
開口判定部５１は、複数のマイクロスイッチ４２から受け取った信号に基づいて開口があることを検出する。具体的には、開口判定部５１は、複数のマイクロスイッチ４２のうち、連続して所定数（例えば２つ）以上のマイクロスイッチ４２の押圧部４２ｂの押圧が解除されている場合に開口Ｄがあると判定する。これによって開口判定部５１は開口Ｄの有無を検出する。
【００３０】
警告制御部５２は、エスカレータ制御装置２６からの信号に基づいてエスカレータ駆動装置２５が停止していると判定され、かつ、開口判定部５１からの信号に基づいて開口Ｄがあることが検出された場合に一部のＬＥＤランプ４３を点灯、または点滅させる。具体的には、警告制御部５２は、複数のＬＥＤランプ４３のうち、開口Ｄに最も近い（例えば開口Ｄの真上の）ＬＥＤランプ４３を点灯、または点滅させる。なお、ＬＥＤランプ４３を点灯させるために、ＬＥＤランプ４３は、エレベータ駆動用の電源とは独立した、すなわちエレベータ駆動用の電源とは異なる電源から給電される構成としてもよい。例えば、ＬＥＤランプ４３と電源との間にスイッチが接続され、警告制御部５２がこのスイッチをオン状態とすることによりＬＥＤランプ４３を電源に接続して点灯させてもよい。また、エレベータ駆動用の電源からエレベータ駆動装置２５（図１）への給電が停止された時点から、ＬＥＤランプ４３がエレベータ駆動用電源から給電されるように制御装置により制御する構成としてもよい。
【００３１】
上記の開口位置照明装置４０によれば、保守点検または踏段３０の組み付けの作業時などにおいて、エスカレータ１０の運転停止中に一部の踏段３０が取り外されて開口Ｄが設けられた場合において、開口Ｄに最も近いＬＥＤランプ４３が点灯または点滅する。これによって、作業者が視認しにくい開口Ｄに対し離れた位置から開口Ｄに向かって踏段３０上を移動する場合でも、ＬＥＤ４３の点灯または点滅で開口Ｄの位置を認識しやすい。このため、エスカレータ１０の踏段３０を取り外して開口Ｄを設けて作業を行う場合に、開口Ｄの位置を作業者に認識しやすくして作業時の安全性を向上させることができる。
【００３２】
図６は、実施形態の別例の開口位置照明装置４０の概略構成を示している。本例の場合、図１から図５の構成において、開口検出部４１は、マイクロスイッチ４２の代わりにビームセンサ４４を有する。具体的には、開口位置照明装置４０は、複数のビームセンサ４４と、開口照明制御装置５０とを含んで構成される。複数のビームセンサ４４は、開口照明制御装置５０の開口判定部５１とともに、開口検出部４１を構成する。
【００３３】
複数のビームセンサ４４は、一方側のスカートガード１７において、複数の上側踏段３０に上下方向に対向可能な複数位置に取り付けられる。各ビームセンサ４４は、線源４４ａと検出部４４ｂとを有する。線源４４ａから照射された赤外線またはレーザ光線などのビームは、下側の踏段３０がある場合には踏段３０で反射される。踏段３０においてビームセンサ４４からのビームが当たる部分は、凹凸を有しない水平面上の平面部とすることが好ましい。そして踏段３０で反射されたビームは検出部４４ｂで検出される。これによって、各ビームセンサ４４は、下側の踏段３０の存在の有無を検出できる。検出部４４ｂでの検出状態を表す信号は開口照明制御装置５０に送信される。
【００３４】
開口照明制御装置５０の開口判定部５１は、複数のビームセンサ４４から受け取った信号に基づいて、ビームセンサ４４の下側の開口Ｄの有無を検出する。これによって、開口検出部４１は、複数の踏段３０の複数位置において、上側から照射したビームの反射の検出により開口Ｄの有無を検出できる。
【００３５】
上記構成の場合も、図１から図５の構成と同様に、一部の踏段３０が取り外されて開口Ｄが設けられた場合において、開口Ｄに最も近いＬＥＤランプ４３が点灯または点滅する。これによって開口Ｄの位置を作業者に認識しやすくして作業時の安全性を向上させることができる。その他の構成及び作用は図１から図５の構成と同様である。
【００３６】
図７は、実施形態の別例の開口位置照明装置４０の概略構成を示している。本例の場合、複数の警告部であるＬＥＤランプ４３は、図１から図５の構成と同様に配置される。そして、開口照明制御装置５０は、エスカレータ駆動装置２５が停止している場合において、開口Ｄがあることが検出された場合に、一部のＬＥＤランプ４３を本警告部及び補助警告部として設定する。具体的には、開口照明制御装置５０の警告制御部５２は、開口検出部４１による検出状態に基づいて、複数のＬＥＤランプ４３のうち、開口Ｄに最も近い、例えば開口Ｄの真上の２つのＬＥＤランプ４３を、本警告部として設定する。図７では本警告部としてのＬＥＤランプ４３をＭＬの符号で示している。以下、本警告部としてのＬＥＤランプ４３は「本警告ランプＭＬ」と記載する。また、警告制御部５２は、複数のＬＥＤランプ４３のうち、配置線１８上に沿って２つの本警告ランプＭＬに対し上側に隣り合うように配置される２つのＬＥＤランプ４３を、補助警告部として設定する。図７では補助警告部としてのＬＥＤランプ４３をＳＬの符号で示している。以下、補助警告部としてのＬＥＤランプ４３は「補助警告ランプＳＬ」と記載する。
【００３７】
そして、警告制御部５２は、本警告ランプＭＬと補助警告ランプＳＬとを点灯または点滅させる。例えば、本警告ランプＭＬ及び補助警告ランプＳＬを、同時に点灯させるか、または同時に点滅させてもよい。一方、本警告ランプＭＬを点灯させるとともに補助警告ランプＳＬを点滅させるか、または本警告ランプＭＬを点滅させるとともに補助警告ランプＳＬを点灯させることが、開口Ｄの位置をより正確に認識できる面から好ましい。なお、本警告ランプＭＬ及び補助警告ランプＳＬとして、それぞれ１つのＬＥＤランプ４３のみを設定してもよい。
【００３８】
上記の構成によれば、開口Ｄに最も近い２つのＬＥＤランプ４３だけでなく、その２つのＬＥＤランプ４３より上側のＬＥＤランプ４３も点灯または点滅する。これにより、作業者が踏段３０上を上側から下側に移動して開口Ｄに近づく場合に、開口Ｄに近づいたことを補助警告ランプＳＬの点灯または点滅によってより早期に認識しやすくなる。その他の構成及び作用は図１から図５の構成と同様である。本例の構成を図６の構成と組み合わせてもよい。
【００３９】
図８は、実施形態の別例の開口位置照明装置４０の概略構成を示している。本例の場合、図１から図５の構成において、一方側のスカートガード１７において複数の警告灯組４５が、配置線１８上に並んで取り付けられて配置されている。各警告灯組４５は、本警告灯としての第１ＬＥＤランプ４６と、補助警告灯としての第２ＬＥＤランプ４７とからなり、第１ＬＥＤランプ４６及び第２ＬＥＤランプ４７が隣り合っている。第１ＬＥＤランプ４６及び第２ＬＥＤランプ４７は、点灯色が異なる。例えば第１ＬＥＤランプ４６の点灯色は赤色であり、第２ＬＥＤランプ４７の点灯色は黄色である。図８では第１ＬＥＤランプ４６は白丸で示し、第２ＬＥＤランプ４７は、丸の内側に斜格子を付したもので示している。
【００４０】
そして、開口照明制御装置５０の警告制御部５２は、エスカレータ駆動装置２５（図１）が停止している場合において、開口Ｄがあることが検出された場合に、複数の警告灯組４５のうち、開口Ｄに最も近い警告灯組４５を本警告灯組として設定する。例えば、警告制御部５２は、開口Ｄの真上に位置する警告灯組４５を本警告灯組として設定する。図８では本警告灯組としての警告灯組４５をＭＧの符号で示している。以下、本警告灯組としての警告灯組４５は「本警告組ＭＧ」と記載する。また、警告制御部５２は、複数の警告灯組４５のうち、配置線１８上に沿って本警告組ＭＧに対し上側に隣り合うように配置される少なくとも１つの警告灯組４５を、補助警告灯組として設定する。図８では補助警告灯組としての警告灯組４５をＳＧの符号で示している。以下、補助警告灯組としての警告灯組４５は「補助警告組ＳＧ」と記載する。補助警告組ＳＧは、本警告組ＭＧの上側に配置される２つ以上の警告灯組４５としてもよい。
【００４１】
そして、警告制御部５２は、本警告組ＭＧの第１ＬＥＤランプ４６と、補助警告組ＳＧの第２ＬＥＤランプ４７とを、異なる点灯色で点灯または点滅させる。これにより、例えば開口Ｄの真上で赤色の第１ＬＥＤランプ４６が点灯し、配置線１８に沿って上側に隣り合う補助警告組ＳＧの黄色の第２ＬＥＤランプ４７も点灯する。
【００４２】
上記の構成によれば、開口Ｄに最も近い本警告組ＭＧの第１ＬＥＤランプ４６だけでなく、その本警告組ＭＧより上側の補助警告組ＳＧの第２ＬＥＤランプ４７も、点灯または点滅する。これにより、作業者が上側から下側に踏段３０上を移動して開口Ｄに近づく場合に、開口Ｄに近づいたことを補助警告組ＳＧの第２ＬＥＤランプ４７の点灯または点滅によって、より早期に認識しやすくなる。また、本警告組ＭＧの第１ＬＥＤランプ４６の点灯色と、補助警告組ＳＧの第２ＬＥＤランプ４７の点灯色とが異なるので、開口Ｄの位置をより正確に認識しやすい。その他の構成及び作用は図１から図５の構成と同様である。本例の構成を図６の構成と組み合わせてもよい。なお、図８では、第１ＬＥＤランプ４６と第２ＬＥＤランプ４７とが配置線１８上に交互に配置されている。一方、複数の第１ＬＥＤランプ４６が配置される配置線と、複数の第２ＬＥＤランプ４７が配置される配置線とが上下にずれていてもよい。例えば各警告灯組４５において、第１ＬＥＤランプ４６と第２ＬＥＤランプ４７とのうち、一方のランプが他方のランプの真上に配置されてもよい。
【００４３】
図９は、実施形態の別例の開口位置照明装置４０の概略構成を示している。本例の場合、一方側のスカートガード１７には複数の警告部としてスカートガード照明部４８が、配置線１８上に並んで取り付けられて配置されている。各スカートガード照明部４８は、配置線１８に沿って長い蛍光灯を含む。スカートガード１７に複数の透明または半透明の窓が設けられ、スカートガード照明部４８がスカートガード１７の内側から窓を通じて踏段３０側を照射する構成としてもよい。以下、スカートガード照明部４８は、照明部４８と記載する。複数の照明部４８は、複数の上側踏段３０のうち、隣り合う２つの上側踏段３０を１組として、各組の上側踏段３０が停止可能な複数位置の上方に１つずつ配置されて点灯または点滅が可能である。
【００４４】
また、開口照明制御装置５０の警告制御部５２は、エスカレータ駆動装置２５が停止していると判定された場合で、かつ、開口Ｄがあることが検出された場合に、複数の照明部４８のうち、開口Ｄに最も近い照明部４８を点灯、または点滅させる。
【００４５】
上記の構成の場合も、図１から図５の構成と同様に、エスカレータ１０の運転停止中に一部の踏段３０が取り外されて開口Ｄが設けられた場合において、開口Ｄに最も近い照明部４８が点灯または点滅する。これによって、作業時の安全性を向上させることができる。その他の構成及び作用は、図１から図５の構成と同様である。
【００４６】
なお、上記の各例の構成において、踏段３０が取り外される場合に、連続する複数の踏段３０が取り外されて開口が形成されてもよい。また、上記の各例の構成において、欄干１４を構成する移動手すり１６のうち、利用者が掴む部分の下側に、警告部として複数の手すり照明部が配置されてもよい。また、開口照明制御装置５０が有する警告制御部５２は、開口Ｄがあることが判定された場合にＬＥＤランプ４３などの警告部を点灯または点滅させるとともに、ブザーなどの警告音発生部を作動させて警告音を発生させてもよい。これにより、作業者は作業時に開口Ｄがあることを音によっても認識できる。
【００４７】
また、上記の各例の構成では、左右のスカートガード１７の一方側のスカートガード１７にＬＥＤランプ４３などの警告部が配置される場合を説明した。一方、左右のスカートガード１７の両側のスカートガード１７に警告部が配置され、開口Ｄに最も近い左右両側の警告部が点灯または点滅されてもよい。また、図１から図５の構成において、複数のマイクロスイッチ４２は、左右両側のスカートガード１７において、左右方向に対向する位置に配置されてもよい。このとき、踏段３０の左右方向両端部には側板が固定されて、左右両側のマイクロスイッチ４２の押圧部４２ｂを側板により押圧可能としてもよい。そして、左右両側のスカートガード１７において左右方向に対向して配置される２つのマイクロスイッチ４２を１組として、各組の２つのマイクロスイッチ４２の両方の押圧部４２ｂの押圧が解除された場合にのみ、対応する位置に踏段３０がないと判定されてもよい。これにより踏段３０の有無についての誤検出を防止しやすくなる。
【符号の説明】
【００４８】
１０  エスカレータ、１１ａ，１１ｂ  乗降口、１２  トラス、１３ａ，１３ｂ  第１レール、１４  欄干、１５  側板部、１６  移動手すり、１７  スカートガード、１８  配置線、２０  移送手段、２１  駆動機構、２２  チェーン、２３，２４  スプロケット、２５  エスカレータ駆動装置、２６  エスカレータ制御装置、３０  踏段、３１  ステップ軸、３２  第１案内ローラ、３３  踏板、３３ａ  踏板本体、３３ｂ，３３ｃ  デマケーションクリート、３３ｄ，３３ｅ  櫛歯、３４  ライザー、３５  側板、３６  第２案内ローラ、４０  開口位置照明装置、４１  開口検出部、４２  マイクロスイッチ、４２ａ  ケース、４２ｂ  押圧部、４３  ＬＥＤランプ、４４  ビームセンサ、４４ａ  線源、４４ｂ  検出部、４５  警告灯組、４６  第１ＬＥＤランプ、４７  第２ＬＥＤランプ、４８  スカートガード照明部、５０  開口照明制御装置、５１  開口判定部、５２  警告制御部。
【図１】
2016185834.tif 000003
【図２】
2016185834.tif 000004
【図３】
2016185834.tif 000005
【図４】
2016185834.tif 000006
【図５】
2016185834.tif 000007
【図６】
2016185834.tif 000008
【図７】
2016185834.tif 000009
【図８】
2016185834.tif 000010
【図９】
2016185834.tif 000011